(57)【要約】［課題］リレーの接点を接続することにより被接地装置が接地される際に、リレーの接点に流れる電流を抑制し、しかも、リレーの接点を切断することにより被接地装置の接地が解除される際に、リレーの接点間におけるアーク放電も抑制する。［解決手段］被接地装置に接続された第１のリレーの接点と、第１のリレーの接点とアースとの間に接続され、第１のリレーの接点が閉成された際に第１のリレーの接点に流れる電流を抑制する抵抗と、抵抗と並列に接続され、被接地装置の接地が解除される際、第１のリレーの接点が開成される前に閉成されている第２のリレーの接点とを備える。
2017204097.tif 000002
【特許請求の範囲】
【請求項１】
被接地装置に接続された第１のリレーの接点と、
前記第１のリレーの接点とアースとの間に接続され、前記第１のリレーの接点が閉成された際に前記第１のリレーの接点に流れる電流を抑制する抵抗と、
前記抵抗と並列に接続され、前記被接地装置の接地が解除される際、前記第１のリレーの接点が開成される前に閉成されている第２のリレーの接点と、
を備えたことを特徴とする接地回路。
【請求項２】
前記第２のリレーの接点は、前記被接地装置の接地が解除される際、前記第２のリレーの接点が開成されていたら、前記第１のリレーの接点が開成される前に閉成される
ことを特徴とする請求項１に記載の接地回路。
【請求項３】
前記第２のリレーの接点は、前記被接地装置が接地される際、前記第１のリレーの接点が閉成され、前記第１のリレーの接点への電流の流れ込みが収束した後に閉成される
ことを特徴とする請求項１又は請求項２に記載の接地回路。
【請求項４】
前記被接地装置は、端局にケーブルで接続され、前記ケーブルを介して前記端局から受信された制御信号に基づいて、前記第１のリレーの接点及び前記第２のリレーの接点の開閉が制御される
ことを特徴とする請求項１乃至３のいずれか１項に記載の接地回路。
【請求項５】
前記ケーブルを介して前記端局から給電される
ことを特徴とする請求項４に記載の接地回路。
【請求項６】
前記被接地装置は、２つ以上の前記端局間における前記ケーブルを介した通信を中継する
ことを特徴とする請求項４又は請求項５に記載の接地回路。
【請求項７】
前記被接地装置は、センサを含み、前記センサにより測定されたデータを前記ケーブルを介して前記端局に送信する
ことを特徴とする請求項４又は請求項５に記載の接地回路。
【請求項８】
前記アースは、海水に対して接地された
ことを特徴とする請求項１乃至７のいずれか１項に記載の接地回路。
【請求項９】
前記第１のリレー及び前記第２のリレーは、真空リレー又はガス封入リレーである
ことを特徴とする請求項１乃至８のいずれか１項に記載の接地回路。
【請求項１０】
被接地装置に接続された第１のリレーの接点と、
前記第１のリレーの接点とアースとの間に接続され、前記第１のリレーの接点が閉成された際に前記第１のリレーの接点に流れる電流を抑制する抵抗と、
前記抵抗と並列に接続され、前記被接地装置の接地が解除される際、前記第１のリレーの接点が開成される前に閉成されている第２のリレーの接点と
を含む接地回路と、
受信した制御信号に基づいて前記第１のリレーの接点及び前記第２のリレーの接点を開閉する制御手段と
を備えたことを特徴とする電気装置。
【請求項１１】
被接地装置に接続された第１のリレーの接点とアースとの間に接続された抵抗を用いて、前記第１のリレーの接点が閉成された際に前記第１のリレーの接点に流れる電流を抑制し、
前記抵抗と並列に接続された第２のリレーの接点を、前記被接地装置の接地が解除される際、前記第１のリレーの接点が開成される前に閉成しておく
ことを特徴とする接地制御方法。
【請求項１２】
被接地装置に接続された第１のリレーの接点とアースとの間に接続された抵抗を用いて前記第１のリレーの接点に流れる電流を抑制しながら、前記第１のリレーの接点を閉成する処理と、
前記抵抗と並列に接続された第２のリレーの接点を、前記被接地装置の接地が解除される際、前記第１のリレーの接点が開成される前に閉成しておく処理と
をコンピュータに実行させることを特徴とする接地制御プログラムを格納した非一時的な記憶媒体。
【発明の詳細な説明】
【技術分野】
【０００１】
本発明は、アースに対する被接地装置の接地の有無を切り替える、接地回路、電気装置、接地制御方法、及び接地制御プログラムに関する。
【背景技術】
【０００２】
海底ケーブルシステムは、海底ケーブル（以下、「ケーブル」という）、海底中継器、海底分岐装置（以下、「ＢＵ」（Branching Unit）という）、端局装置（以下、「端局」という）、給電装置等を含む。海底中継器は、減衰した信号を増幅する。ＢＵは、信号を複数の地点に向けて分岐する。端局は、各種データ信号の送受信を行う。給電装置は、海底機器に電力を供給する。なお、給電装置は、数ｋＶを超える高電圧で電力を供給することがある。また、ＢＵは、ケーブルの地絡障害や障害修理等に対応するために、海底機器への給電経路の切り替え機能を有することがある。【０００３】
給電経路の切り替え機能を有する海底分岐装置の一例が、特許文献１に開示されている。特許文献１の給電路切替回路では、給電電流により給電路が切り替えられる。特許文献１の給電路切替回路は、継電器と、接点と、抵抗器とを含む。継電器は、給電路に接続され、給電電流に応じて動作する。接点は、継電器の非動作時に閉成し、動作時に開成する。抵抗器は、接点と共に直列回路を構成し、その直列回路が継電器に並列接続される。なお、継電器の抵抗値をｒ、抵抗器の抵抗値をＲ、継電器の動作直前に給電路に流れる電流値をＩａ、継電器の動作直後に給電路に流れる電流値をＩｂとした場合に、（Ｒ／（ｒ＋Ｒ））・Ｉａ＜Ｉｂとなるようにｒ、Ｒが設定される。上記構成の結果、特許文献１の給電路切替回路は、継電器の動作後に継電器を流れる電流値が低下しないので、継電器が動作および非動作を繰り返すことなく、給電路の切り替えを確実に行う。【０００４】
しかしながら、特許文献１の給電路切替回路では、給電路が切り替えられる際に、給電路と接地とを接続する継電器に大電流が流れ、継電器が故障しやすいという問題があった。【０００５】
給電経路の切替時のサージ電流を抑制する技術の一例が、特許文献２に開示されている。特許文献２の海底分岐装置における、海水接地に接続される１つのリレーの接点に注目し、リレーの制御手段を省略した構成について説明する。【０００６】
図５は、特許文献２の海底分岐装置の構成の一例を示す模式図である。ＢＵ２００は、端局Ａ、端局Ｂ、端局Ｃに、それぞれ、ケーブル３１０、３２０、３３０を経由して接続される。ＢＵ２００は、海水接地（以下、「シーアース」又は「ＳＥ」（Sea Earth）という）３４０に接続される。ＢＵ２００は、端局Ａ、端局Ｂ、又は端局Ｃから給電される。ケーブル３１０、３２０には、端局Ａから正極の電圧が給電され、端局Ｂから負極の電圧が給電される。端局ＣとＢＵ２００との間のケーブル３３０には、端局Ｃから負極の電圧が給電される。給電経路が切り替えられる際には、ＢＵ２００は、ＢＵ２００の一部回路をＳＥ３４０に接地したり、ＢＵ２００の一部回路のＳＥ３４０への接地を解除したりすることができる。図５（Ａ）は、ＢＵ２００が端局Ａ及び端局Ｂにより給電されている状態を示す。また、図５（Ｂ）は、ＢＵ２００が端局Ａ及び端局Ｃにより給電されている状態を示す。【０００７】
図６は、ＢＵ２００に接続された接地回路の動作を説明するための図である。具体的には、図６（Ａ）はＢＵ２００の接地が解除されている状態を、図６（Ｂ）はＢＵ２００が接地されている状態を示す。【０００８】
接地回路９００は、リレー（以下、「ＲＬ」という）９１０の接点（ＲＬ接点）と、抵抗９２０とを含む。抵抗９２０の一端は、ＳＥ３４０に接続される。抵抗９２０の他端は、ＲＬ接点の一端に接続される。ＲＬ接点の他端は、ＢＵ２００に接続される。ＢＵ２００の接地の有無は、ＲＬ接点により切り替えられる。なお、図６では、説明を分かりやすくするために接地回路９００をＢＵ２００に含めていないが、接地回路９００はＢＵ２００に含まれてもよい。また、図６では、ＲＬ接点の制御手段は省略されている。【０００９】
ＢＵ２００が高電位の状態にある場合であっても、接地回路９００は、ＲＬ接点を切り替えて接地した際にＲＬ接点に流れるサージ電流を抵抗９２０により抑制することができる。
【先行技術文献】
【特許文献】
【００１０】
【特許文献１】特開２００３−３２１５５号公報
【特許文献２】特開平４−３２３９１７号公報
【発明の概要】
【発明が解決しようとする課題】
【００１１】
しかしながら、特許文献２の技術では、ＲＬ接点を切り替えて海底分岐装置２００の接地を解除する場合に、ＲＬ接点においてアーク放電が発生するという問題がある。なお、抵抗９２０の抵抗値が大きいほど、ＲＬ接点においてアーク放電が発生し易いため、接地時のリレーの接点に流れる電流の抑制と、接地解除時のリレーの接点間におけるアーク放電の抑制とを両立させることは困難である。【００１２】
本発明は、上記の課題に鑑みてなされたもので、リレーの接点を接続することにより被接地装置が接地される際に、リレーの接点に流れる電流を抑制し、しかも、リレーの接点を切断することにより被接地装置の接地が解除される際に、リレーの接点間におけるアーク放電も抑制することができる、接地回路、電気装置、接地制御方法、及び接地制御プログラムを提供することを主たる目的とする。
【課題を解決するための手段】
【００１３】
本発明の接地回路は、被接地装置に接続された第１のリレーの接点と、第１のリレーの接点とアースとの間に接続され、第１のリレーの接点が閉成された際に第１のリレーの接点に流れる電流を抑制する抵抗と、抵抗と並列に接続され、被接地装置の接地が解除される際、第１のリレーの接点が開成される前に閉成されている第２のリレーの接点とを備えたことを特徴とする。【００１４】
本発明の電気装置は、被接地装置に接続された第１のリレーの接点と、第１のリレーの接点とアースとの間に接続され、第１のリレーの接点が閉成された際に第１のリレーの接点に流れる電流を抑制する抵抗と、抵抗と並列に接続され、被接地装置の接地が解除される際、第１のリレーの接点が開成される前に閉成されている第２のリレーの接点とを含む接地回路と、受信した制御信号に基づいて第１のリレーの接点及び第２のリレーの接点を開閉する制御手段とを備えたことを特徴とする。【００１５】
本発明の接地制御方法は、被接地装置に接続された第１のリレーの接点とアースとの間に接続された抵抗を用いて、第１のリレーの接点が閉成された際に第１のリレーの接点に流れる電流を抑制し、抵抗と並列に接続された第２のリレーの接点を、被接地装置の接地が解除される際、第１のリレーの接点が開成される前に閉成しておくことを特徴とする。【００１６】
本発明の接地制御プログラムは、被接地装置に接続された第１のリレーの接点とアースとの間に接続された抵抗を用いて第１のリレーの接点に流れる電流を抑制しながら、第１のリレーの接点を閉成する処理と、抵抗と並列に接続された第２のリレーの接点を、被接地装置の接地が解除される際、第１のリレーの接点が開成される前に閉成しておく処理とをコンピュータに実行させることを特徴とする。
【発明の効果】
【００１７】
本発明によれば、リレーの接点を接続することにより被接地装置が接地される際に、リレーの接点に流れる電流を抑制し、しかも、リレーの接点を切断することにより被接地装置の接地が解除される際に、リレーの接点間におけるアーク放電も抑制することができるという効果がある。
【図面の簡単な説明】
【００１８】
【図１】本発明の第１の実施形態の接地回路の構成の一例を示す回路図である。
【図２】本発明の第１の実施形態の接地回路の動作を説明するための図である。
【図３】本発明の第２の実施形態の接地回路の構成の一例を示す回路図である。
【図４】本発明の第２の実施形態の接地回路の動作を示すフローチャートである。
【図５】本発明に関連する海底分岐装置の構成の一例を示す模式図である。
【図６】本発明に関連する海底分岐装置の動作を説明するための図である。
【発明を実施するための形態】
【００１９】
以下、本発明の実施形態について、図面を参照して詳細に説明する。なお、すべての図面において、同等の構成要素には同じ符号を付し、適宜説明を省略する。
（第１の実施形態）
本実施形態における構成について説明する。
【００２０】
図１は、本発明の第１の実施形態の接地回路の構成の一例を示す回路図である。
【００２１】
接地回路１００は、ＢＵ２００とＳＥ３４０との間に接続される。なお、図１では、説明を分かりやすくするために接地回路１００をＢＵ２００に含めていないが、接地回路１００はＢＵ２００に含まれてもよい。
【００２２】
ＢＵ２００は、端局Ａ、端局Ｂ、端局Ｃに、ケーブルを経由して接続される。ＢＵ２００は、端局Ａ、端局Ｂ、又は端局Ｃから給電される。接地回路１００は、ＲＬ１１０の接点（ＲＬ１接点）と、抵抗１２０と、ＲＬ１３０の接点（ＲＬ２接点）とを含む。図１に示されるようにＲＬ１接点及びＲＬ２接点の初期状態は開成状態である。すなわち、ＲＬ１接点及びＲＬ２接点は、メーク接点である。ＲＬ１１０、ＲＬ１３０は、例えば、真空リレー又はガス封入リレーである。なお、図１では、ＲＬ１接点及びＲＬ２接点の、制御手段は省略されている。
【００２３】
抵抗１２０の一端は、ＳＥ３４０に接続される。抵抗１２０の他端は、ＲＬ１接点の一端に接続される。ＲＬ１接点の他端は、海底分岐装置２００に接続される。海底分岐装置２００の接地の有無は、ＲＬ１接点により切り替えられる。
【００２４】
ＲＬ２接点は、抵抗１２０に並列に接続される。
【００２５】
本実施形態における動作について説明する。
【００２６】
図２は、本発明の第１の実施形態の接地回路１００の動作を説明するための図である。具体的には、図２（Ａ）はＢＵ２００の接地開始時の状態を、図２（Ｂ）はＢＵ２００の接地解除開始時の状態を示す。
【００２７】
ＢＵ２００をＳＥ３４０に接地する場合には、まず、ＲＬ２接点が開成される。次に、ＲＬ１接点が閉成されることにより、ＢＵ２００とＳＥ３４０とが抵抗１２０を介して接続される（図２（Ａ））。この時、ＢＵ２００が瞬間的にＳＥ３４０に接地されることによりＲＬ１接点に大電流が流れるが、ＳＥ３４０とＲＬ１接点との間の抵抗１２０により、この電流が抑制される。ＲＬ１接点への大電流の流れ込みが収束した後に、ＲＬ２接点が閉成されることにより、ＢＵ２００とＳＥ３４０とが電気的に直接接続される。
【００２８】
一方、ＢＵ２００の接地を解除する場合には、まず、何らかの理由でＲＬ２接点が開成されている場合には、ＲＬ２接点が閉成されることにより抵抗１２０が短絡される。次に、ＲＬ１接点が開成され、ＢＵ２００の接地は解除される（図２（Ｂ））。ＲＬ１接点が高電圧であると、ＲＬ１接点の開成時にＲＬ１接点にアーク放電が発生する。しかしながら、ＲＬ２接点を閉成することにより、ＲＬ１接点の電圧が０Ｖになるので、ＲＬ１接点にアーク放電は発生しない。従って、ＲＬ１接点が故障しにくい。
【００２９】
以上説明したように、本実施形態の接地回路１００は、ＲＬ１接点とＳＥ３４０との間にある抵抗１２０と、抵抗１２０に並列に接続されたＲＬ２接点とを有する。そして、ＢＵ２００がＳＥ３４０に接地される際には、抵抗１２０によりＲＬ１接点に流れる電流が抑制される。また、ＢＵ２００の接地が解除される際には、ＲＬ２接点により抵抗１２０が短絡される。ＲＬ１接点の電圧が０Ｖになるので、ＲＬ１接点が開成された瞬間にＲＬ１接点間に電位差が生じることがなく、ＲＬ１接点にアーク放電は発生しない。従って、本実施形態の接地回路１００には、リレーの接点を接続することにより被接地装置が接地される際に、リレーの接点に流れる電流を抑制し、しかも、リレーの接点を切断することにより被接地装置の接地が解除される際に、リレーの接点間におけるアーク放電も抑制することができるという効果がある。
【００３０】
また、海底分岐装置の接地制御において、ＲＬの接点で発生するアーク放電がＲＬの故障原因になるため、アーク放電を抑制するために複雑な手順が必要な場合があった。しかしながら、本実施形態の接地回路１００では、接地解除時のアーク放電が抑制される。従って、本実施形態の接地回路１００には、複雑な接地制御手順が不要であるという効果がある。
（第２の実施形態）
次に、本発明の第１の実施形態を含む、本発明の第２の実施形態について説明する。
【００３１】
本実施形態における構成について説明する。
【００３２】
図３は、本発明の第２の実施形態の接地回路の構成の一例を示す回路図である。
【００３３】
接地回路１０５は、被接地装置２１０とアース３４５との間に接続される。なお、図３では、説明を分かりやすくするために接地回路１０５を被接地装置２１０に含めていないが、接地回路１０５は被接地装置２１０に含まれてもよい。
【００３４】
アース３４５は、例えば、ＳＥ、又は大地に対する接地である。
【００３５】
被接地装置２１０は、接地及び接地の解除を必要とする任意の電気回路である。被接地装置２１０は、単体の装置であってよいが、１台以上の他の装置にケーブル等を経由して接続されてもよい。後者の場合、被接地装置２１０は、１台以上の他の装置とケーブル等を経由して通信してもよいし、１台以上の他の装置からケーブル等を経由して給電されてもよい。被接地装置２１０は、センサを含み、センサにより測定されたデータを他の装置に送信してもよい。被接地装置２１０は、例えば、海底分岐装置、海底中継器、利得等化装置、海底地震計装置、津波計装置である。
【００３６】
接地回路１０５及び被接地装置２１０は、一体の電気装置５００として実装されてもよい。接地回路１０５は、ＲＬ１１０の接点（ＲＬ１接点）と、抵抗１２０と、ＲＬ１３０の接点（ＲＬ２接点）と、制御手段１５０とを含む。
【００３７】
抵抗１２０の一端は、アース３４５に接続される。抵抗１２０の他端は、ＲＬ１接点の一端に接続される。ＲＬ１接点の他端は、被接地装置２１０に接続される。被接地装置２１０の接地の有無は、ＲＬ１接点により切り替えられる。
【００３８】
ＲＬ２接点は、抵抗１２０に並列に接続される。
【００３９】
制御手段１５０は、ＲＬ１接点及びＲＬ２接点の開閉を制御するための制御信号に基づいて、ＲＬ１接点及びＲＬ２接点の開閉を制御する。制御信号は、被接地装置２１０から受信してもよいし、被接地装置２１０を経由して他の装置から受信してもよい。制御信号には、被接地装置２１０又は他の装置から受信した制御信号が使用されてよいが（以下、「遠隔制御型」という）、被接地装置２１０又は他の装置からの給電電流が使用されてもよい（以下、「給電電流制御型」という）。
【００４０】
本実施形態における動作について説明する。
【００４１】
図４は、本発明の第２の実施形態の接地回路の動作を示すフローチャートである。具体的には、図４（Ａ）は被接地装置２１０を接地する際の動作を、図４（Ｂ）は被接地装置２１０の接地を解除する際の動作を示す。なお、図４に示すフローチャート及び以下の説明は一例であり、適宜求める処理に応じて、処理順等を入れ替えたり、処理を戻したり、又は処理を繰り返したりしてもよい。
【００４２】
被接地装置２１０をアース３４５に接地する場合について説明する。
【００４３】
まず、ＲＬ１接点及びＲＬ２接点は初期状態にあるものとする。つまり、ＲＬ２接点は、予め開成されているものとする。ＲＬ２接点が開成されていなければ、制御手段１５０は、ＲＬ２接点を開成する。
【００４４】
次に、制御手段１５０は、ＲＬ１接点を閉成する（ステップＳ１１０）。これにより、被接地装置２１０とアース３４５とが抵抗１２０を介して接続される。この時、被接地装置２１０の電位が瞬間的にアース３４５に接地されることによりＲＬ１接点へ大電流が流れるが、アース３４５とＲＬ１接点との間の抵抗１２０により、この電流が抑制される。
【００４５】
続いて、制御手段１５０は、ＲＬ１接点への大電流の流れ込みの収束に要する時間の経過後に、ＲＬ２接点を閉成する（ステップＳ１２０）。これにより、被接地装置２１０とアース３４５とが電気的に直接接続される。
【００４６】
被接地装置２１０の接地を解除する場合について説明する。
【００４７】
まず、接地回路１０５は、ステップＳ１２０が実行された状態にあるものとする。つまり、ＲＬ２接点は、予め閉成されているものとする。ＲＬ２接点が閉成されていなければ、制御手段１５０は、ＲＬ２接点を閉成する。
【００４８】
次に、制御手段１５０は、ＲＬ１接点を開成する（ステップＳ２１０）。これにより、被接地装置２１０の接地は解除される。ＲＬ１接点が高電圧であると、ＲＬ１接点の開成時にＲＬ１接点にアーク放電が発生する。しかしながら、ＲＬ２接点が閉成されているので、ＲＬ１接点の電圧は０Ｖであり、ＲＬ１接点にアーク放電は発生しない。従って、ＲＬ１接点が故障しにくい。
【００４９】
続いて、制御手段１５０は、ＲＬ２接点を開成してもよい。これにより、ＲＬ１接点及びＲＬ２接点は初期状態に戻る。
【００５０】
以上説明したように、本実施形態の接地回路１０５は、ＲＬ１接点とアース３４５との間にある抵抗１２０と、抵抗１２０に並列に接続されたＲＬ２接点とを有する。そして、被接地装置２１０がアース３４５に接地される際には、抵抗１２０によりＲＬ１接点に流れる電流が抑制される。また、被接地装置２１０の接地が解除される際には、ＲＬ２接点により抵抗１２０が短絡される。ＲＬ１接点の電圧が０Ｖになるので、ＲＬ１接点が開成された瞬間にＲＬ１接点間に電位差が生じることがなく、ＲＬ１接点にアーク放電は発生しない。従って、本実施形態の接地回路１０５には、リレーの接点を接続することにより被接地装置が接地される際に、リレーの接点に流れる電流を抑制し、しかも、リレーの接点を切断することにより被接地装置の接地が解除される際に、リレーの接点間におけるアーク放電も抑制することができるという効果がある。
【００５１】
また、被接地装置の接地制御において、リレーの接点で発生するアーク放電がリレーの故障原因になるため、アーク放電を抑制するために複雑な手順が必要な場合があった。しかしながら、本実施形態の接地回路１０５では、接地解除時のアーク放電が抑制される。従って、本実施形態の接地回路１０５には、複雑な接地制御手順が不要であるという効果がある。
【００５２】
また、前述のように、制御手段１５０は、給電電流制御型であってもよいし、遠隔制御型であってもよい。給電電流制御型の制御手段１５０では制御信号は給電電流に限定されるので、被接地装置２１０及び接地回路１０５が複数（特に４台以上）の外部の装置から給電される場合に、給電電流制御型の制御手段１５０を実現することは容易ではない。しかしながら、遠隔制御型の制御手段１５０では自由に制御信号を定義できるので、被接地装置２１０及び接地回路１０５が複数の外部の装置から給電される場合に、遠隔制御型の制御手段１５０を実現することは容易である。従って、接地回路１０５が遠隔制御型の制御手段１５０を含む場合には、本実施形態の接地回路１０５には、被接地装置２１０及び接地回路１０５が複数の外部の装置から給電される場合に、遠隔制御型の制御手段１５０を実現することが容易であるという効果がある。
【００５３】
また、上述した本発明の各実施形態の接地回路は、専用の装置によって実現してもよいが、コンピュータ（情報処理装置）によっても実現可能である。この場合、係るコンピュータは、メモリ（図示せず）に格納されたソフトウェア・プログラムをＣＰＵ（Central Processing Unit、図示せず）に読み出し、読み出したソフトウェア・プログラムをＣＰＵにおいて実行することにより、実行結果を、例えば、ユーザ・インタフェースに出力する。上述した各実施形態の場合、係るソフトウェア・プログラムには、上述したところの、図３に示した接地回路１０５の制御手段１５０の機能を実現可能な記述がなされていればよい。ただし、接地回路１０５の制御手段１５０には、適宜ハードウェアを含むことも想定される。そして、このような場合、係るソフトウェア・プログラム（コンピュータ・プログラム）は、本発明を構成すると捉えることができる。更に、係るソフトウェア・プログラムを格納した、コンピュータ読み取り可能な記憶媒体も、本発明を構成すると捉えることができる。
【００５４】
以上、本発明を、上述した各実施形態及びその変形例によって例示的に説明した。しかしながら、本発明の技術的範囲は、上述した各実施形態及びその変形例に記載した範囲に限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、請求の範囲に記載した事項から明らかである。
【００５５】
この出願は、２０１６年５月２５日に出願された日本出願特願２０１６−１０３８５１を基礎とする優先権を主張し、その開示の全てをここに取り込む。
【００５６】
上記の実施形態の一部又は全部は、以下の付記のようにも記載されうるが、以下には限られない。
（付記１）
被接地装置に接続された第１のリレーの接点と、
前記第１のリレーの接点とアースとの間に接続され、前記第１のリレーの接点が閉成された際に前記第１のリレーの接点に流れる電流を抑制する抵抗と、
前記抵抗と並列に接続され、前記被接地装置の接地が解除される際、前記第１のリレーの接点が開成される前に閉成されている第２のリレーの接点と、
を備えたことを特徴とする接地回路。
（付記２）
前記第２のリレーの接点は、前記被接地装置の接地が解除される際、前記第２のリレーの接点が開成されていたら、前記第１のリレーの接点が開成される前に閉成される
ことを特徴とする付記１に記載の接地回路。
（付記３）
前記第２のリレーの接点は、前記被接地装置が接地される際、前記第１のリレーの接点が閉成され、前記第１のリレーの接点への電流の流れ込みが収束した後に閉成される
ことを特徴とする付記１又は付記２に記載の接地回路。
（付記４）
前記被接地装置は、端局にケーブルで接続され、前記ケーブルを介して前記端局から受信された制御信号に基づいて、前記第１のリレーの接点及び前記第２のリレーの接点の開閉が制御される
ことを特徴とする付記１乃至３のいずれか１項に記載の接地回路。
（付記５）
前記ケーブルを介して前記端局から給電される
ことを特徴とする付記４に記載の接地回路。
（付記６）
前記被接地装置は、２つ以上の前記端局間における前記ケーブルを介した通信を中継する
ことを特徴とする付記４又は付記５に記載の接地回路。
（付記７）
前記被接地装置は、センサを含み、前記センサにより測定されたデータを前記ケーブルを介して前記端局に送信する
ことを特徴とする付記４又は付記５に記載の接地回路。
（付記８）
前記アースは、海水に対して接地された
ことを特徴とする付記１乃至７のいずれか１項に記載の接地回路。
（付記９）
前記第１のリレー及び前記第２のリレーは、真空リレー又はガス封入リレーである
ことを特徴とする付記１乃至８のいずれか１項に記載の接地回路。
（付記１０）
被接地装置に接続された第１のリレーの接点と、
前記第１のリレーの接点とアースとの間に接続され、前記第１のリレーの接点が閉成された際に前記第１のリレーの接点に流れる電流を抑制する抵抗と、
前記抵抗と並列に接続され、前記被接地装置の接地が解除される際、前記第１のリレーの接点が開成される前に閉成されている第２のリレーの接点と
を含む接地回路と、
受信した制御信号に基づいて前記第１のリレーの接点及び前記第２のリレーの接点を開閉する制御手段と
を備えたことを特徴とする電気装置。
（付記１１）
被接地装置に接続された第１のリレーの接点とアースとの間に接続された抵抗を用いて、前記第１のリレーの接点が閉成された際に前記第１のリレーの接点に流れる電流を抑制し、
前記抵抗と並列に接続された第２のリレーの接点を、前記被接地装置の接地が解除される際、前記第１のリレーの接点が開成される前に閉成しておく
ことを特徴とする接地制御方法。
（付記１２）
被接地装置に接続された第１のリレーの接点とアースとの間に接続された抵抗を用いて前記第１のリレーの接点に流れる電流を抑制しながら、前記第１のリレーの接点を閉成する処理と、
前記抵抗と並列に接続された第２のリレーの接点を、前記被接地装置の接地が解除される際、前記第１のリレーの接点が開成される前に閉成しておく処理と
をコンピュータに実行させることを特徴とする接地制御プログラム。
【産業上の利用可能性】
【００５７】
本発明は、接地の有無を切り替える機能を有する電気装置において、接地の有無を切り替えるためのリレーの接点における故障を低減する用途において利用できる。本発明は、例えば、海底分岐装置、海底中継器、利得等化装置、海底地震計装置、津波計装置における接地制御の用途において利用できる。
【符号の説明】
【００５８】
１００、１０５、９００  接地回路
１１０、１３０、９１０  リレー
１２０、９２０  抵抗
１５０  制御手段
２００  海底分岐装置
２１０  被接地装置
３１０、３２０、３３０  ケーブル
３４０  シーアース
３４５  アース
５００  電気装置
【図１】
2017204097.tif 000003
【図２】
2017204097.tif 000004
【図３】
2017204097.tif 000005
【図４】
2017204097.tif 000006
【図５】
2017204097.tif 000007
【図６】
2017204097.tif 000008
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
被接地装置に接続された第１のリレーの接点と、
前記第１のリレーの接点とアースとの間に接続され、前記第１のリレーの接点が閉成された際に前記第１のリレーの接点に流れる電流を抑制する抵抗と、
前記抵抗と並列に接続され、前記被接地装置の接地が解除される際、前記第１のリレーの接点が開成される前に閉成されている第２のリレーの接点と、
を備えたことを特徴とする接地回路。
【請求項２】
前記第２のリレーの接点は、前記被接地装置の接地が解除される際、前記第２のリレーの接点が開成されていたら、前記第１のリレーの接点が開成される前に閉成される
ことを特徴とする請求項１に記載の接地回路。
【請求項３】
前記第２のリレーの接点は、前記被接地装置が接地される際、前記第１のリレーの接点が閉成され、前記第１のリレーの接点への電流の流れ込みが収束した後に閉成される
ことを特徴とする請求項１又は請求項２に記載の接地回路。
【請求項４】
前記被接地装置は、端局にケーブルで接続され、前記ケーブルを介して前記端局から受信された制御信号に基づいて、前記第１のリレーの接点及び前記第２のリレーの接点の開閉が制御される
ことを特徴とする請求項１乃至３のいずれか１項に記載の接地回路。
【請求項５】
前記ケーブルを介して前記端局から給電される
ことを特徴とする請求項４に記載の接地回路。
【請求項６】
前記アースは、海水に対して接地された
ことを特徴とする請求項１乃至５のいずれか１項に記載の接地回路。
【請求項７】
前記第１のリレー及び前記第２のリレーは、真空リレー又はガス封入リレーである
ことを特徴とする請求項１乃至６のいずれか１項に記載の接地回路。
【請求項８】
請求項１乃至７のいずれか１項に記載の接地回路と、
受信した制御信号に基づいて前記第１のリレーの接点及び前記第２のリレーの接点を開閉する制御手段と
を備えたことを特徴とする電気装置。
【請求項９】
被接地装置に接続された第１のリレーの接点とアースとの間に接続された抵抗を用いて、前記第１のリレーの接点が閉成された際に前記第１のリレーの接点に流れる電流を抑制し、
前記抵抗と並列に接続された第２のリレーの接点を、前記被接地装置の接地が解除される際、前記第１のリレーの接点が開成される前に閉成しておく
ことを特徴とする接地制御方法。
【請求項１０】
被接地装置に接続された第１のリレーの接点とアースとの間に接続された抵抗を用いて前記第１のリレーの接点に流れる電流を抑制しながら、前記第１のリレーの接点を閉成する処理と、
前記抵抗と並列に接続された第２のリレーの接点を、前記被接地装置の接地が解除される際、前記第１のリレーの接点が開成される前に閉成しておく処理と
をコンピュータに実行させることを特徴とする接地制御プログラム。
【国際調査報告】
2017204097.tif 000009
2017204097.tif 000010